(57)【特許請求の範囲】
【請求項１】
作業室内に設置されたフードを有するドラフトチャンバにおいて、
前記フードに吸気口を前記作業室の外部に連通して形成し、
この吸気口にフィルタを設け、
前記フードの前面に作業窓を形成し、
この作業窓に二重ガラス扉を昇降自在に取り付け、
前記フード内の空気を前記二重ガラス扉を経由して前記フード外へ排出する排気装置を設けたことを特徴とするドラフトチャンバ。
【発明の詳細な説明】
【０００１】
【発明の属する技術分野】
本発明は、化学物質を取り扱うためのフード（実験箱）を備えたドラフトチャンバに関するものである。
【０００２】
【従来の技術】
図５は従来のドラフトチャンバの一例を示す側面図である。
【０００３】
従来、この種のドラフトチャンバ１において実験を行う際には、図５に示すように、常に作業室Ｗの空気をフード３内に取り込み、フード３内で発生する有害ガス等の危険物質とともにフード３外へ排出することにより、この危険物質から実験者を保護するようにしていた。
【０００４】
【発明が解決しようとする課題】
しかし、これでは作業室Ｗの空気が実験者の近くを通ってフード３内に流れ込むため、作業室Ｗの雰囲気が清浄でない場合にはフード３内も清浄な環境に維持することができない。したがって、実験者がクリーンな作業環境で安全に実験を継続するためには、大掛かりな空調設備（図示せず）を作業室Ｗに設けてその雰囲気を清浄に保つ必要があるという不都合があった。
【０００５】
本発明は、このような事情に鑑み、危険物質から実験者を保護しうるのはもとより、作業室に空調設備を設けなくても常にクリーンな作業環境で安心して実験に従事することが可能なドラフトチャンバを提供することを目的とする。
【０００６】
【課題を解決するための手段】
本発明では、フード内の危険物質を排気するための空気を作業室の外部から直接取り込むべく、二重ガラス扉による前面排気構造を採用することに着目した。
【０００７】
すなわち、請求項１に記載の本発明は、作業室内に設置されたフードを有するドラフトチャンバにおいて、前記フードに吸気口を前記作業室の外部に連通して形成し、この吸気口にフィルタを設け、前記フードの前面に作業窓を形成し、この作業窓に二重ガラス扉を昇降自在に取り付け、前記フード内の空気を前記二重ガラス扉を経由して前記フード外へ排出する排気装置を設けて構成される。
【０００８】
こうした構成を採用することにより、作業室の外部の空気がフィルタで浄化されてフード内に流れ込んだ後、フード内の危険物質とともに二重ガラス扉を経由してフード外へ排出される循環気流が生じ、作業室の空気はこの循環気流にほとんど便乗しなくなるため、作業室の室内環境に左右されることなく実験作業を進めることが可能となる。
【０００９】
【発明の実施の形態】
以下、本発明の実施形態を図面に基づいて説明する。
【００１０】
図１は本発明に係るドラフトチャンバの一実施形態を示す側面図、図２は図１のドラフトチャンバの二重ガラス扉を示す図であり、（ａ）はその斜視図、（ｂ）はその水平断面図、（ｃ）はその垂直断面図、図３は図１に示すドラフトチャンバの半開状態での使用状況を示す側面図、図４は図１に示すドラフトチャンバの全開状態での使用状況を示す側面図である。
【００１１】
このドラフトチャンバ１は、図１に示すように、作業室Ｗ内に設置された実験台２を具備しており、実験台２上にはフード３が搭載されている。フード３の上面には吸気口３１が作業室Ｗの外部に連通して形成されており、吸気口３１にはフィルタ５が装着されている。また、フード３の前面には作業窓３２が形成されており、作業窓３２には二重ガラス扉６が昇降自在に取り付けられている。
【００１２】
すなわち、この二重ガラス扉６は、図２に示すように、前面ガラス６１を有しており、前面ガラス６１の後方には背面ガラス６２が所定の間隔を置いて平行に立設されている。さらに、これら前面ガラス６１、背面ガラス６２の両側部には両者を連結するように２個のサイドカバー６３、６４が固着されており、前面ガラス６１、背面ガラス６２およびサイドカバー６３、６４に包囲された形で通気路６５が上下方向に連通して形成されている。ここで、前面ガラス６１の下端部は、図２（ｃ）に示すように、背面ガラス６２およびサイドカバー６３、６４の下端部よりやや下方に突出している。そして、この二重ガラス扉６は、図２（ｂ）に示すように、フード３の作業窓３２の両側にそれぞれ立設されたガイド部材４、４に沿って上下方向に移動自在に装着されている。
【００１３】
また、図１に示すように、二重ガラス扉６の上方には排気装置８が設けられており、この排気装置８は排気ボックス７、排気ファン９およびダクト１０から構成されている。ここで、排気ボックス７は二重ガラス扉６の通気路６５に連通して設置されており、排気ボックス７内には排気ファン９が設けられている。さらに、排気ボックス７にはダクト１０が接続されており、このダクト１０は作業室Ｗの外部に連通している。
【００１４】
ドラフトチャンバ１は以上のような構成を有するので、このドラフトチャンバ１において実験を行う際には、排気装置８を駆動すべく排気ファン９を回転させた後、図３に示すように、作業室Ｗにいる実験者が二重ガラス扉６を持ち上げて作業窓３２を開き、そこから両手を挿入してフード３内で所定の実験作業を実行する。すると、作業室Ｗの外部の空気がフィルタ５を通ってフード３内に流れ込み、二重ガラス扉６の通気路６５を経て排気ボックス７に至り、ダクト１０から作業室Ｗの外部に排気される循環気流が生じる。なお、このとき作業窓３２は開放状態となっているので、作業室Ｗの空気が二重ガラス扉６の通気路６５でこの循環気流に合流して排気されるが、その量は作業室Ｗの外部から取り込まれる空気量に比べて僅かである。
【００１５】
したがって、実験中にフード３内で有害ガス等の危険物質が発生した場合、この循環気流に乗って作業室Ｗの外部に排出されることになり、実験者が危険物質を吸引したりする事態を避けることができる。また、こうしてフード３内で発生した危険物質を排出するための空気は、その大部分が作業室Ｗの外部からフィルタ５で浄化されて供給されるので、作業室Ｗの室内環境とは無関係にフード３内を清浄な環境に維持することができる。その結果、作業室Ｗに空調設備を設けなくても実験者が常にクリーンな作業環境で実験に携わることが可能となり、安全性に優れる。
【００１６】
ここで、実験時における作業窓３２の開き具合は、その実験によって発生する危険物質の有毒性の大小に応じて決める。すなわち、この危険物質があまり有毒でない場合には、図４に示すように、二重ガラス扉６を最高位まで上昇させて作業窓３２を全開状態とし、実験者が作業しやすくなるようにする。他方、きわめて有毒な危険物質の発生を伴う実験については、実験者の作業性よりも安全性を重視して、図１に示すように、二重ガラス扉６を最下位まで下降させて作業窓３２を全閉状態とする。このとき、二重ガラス扉６はその背面ガラス６２の下端部が前面ガラス６１の下端部より短く、フード３内と二重ガラス扉６の通気路６５とは作業窓３２の全閉状態においても互いに連通しているので、上述した循環気流が途中で遮断されることはなく、危険物質の排出作業は支障なく行われる。
【００１７】
なお、上述の実施形態においては、フード３の上面に吸気口３１を形成したドラフトチャンバ１について説明したが、吸気口３１の形成位置はこれに限るわけではなく、作業室Ｗの外部に連通する限り、フード３の上面以外の位置（例えば、フード３の側面や背面）に吸気口３１を形成しても構わない。
【００１８】
【発明の効果】
以上説明したように、請求項１に記載の本発明によれば、作業室の外部の空気がフィルタで浄化されてフード内に流れ込んだ後、フード内の危険物質とともに二重ガラス扉を経由してフード外へ排出される循環気流が生じ、作業室の空気はこの循環気流にほとんど便乗しなくなるため、作業室の室内環境に左右されることなく実験作業を進めることが可能となることから、危険物質から実験者を保護しうるのはもとより、作業室に空調設備を設けなくても常にクリーンな作業環境で安心して実験に従事することが可能なドラフトチャンバを提供することができる。
【図面の簡単な説明】
【図１】本発明に係るドラフトチャンバの一実施形態を示す側面図である。
【図２】図１のドラフトチャンバの二重ガラス扉を示す図であり、（ａ）はその斜視図、（ｂ）はその水平断面図、（ｃ）はその垂直断面図である。
【図３】図１に示すドラフトチャンバの半開状態での使用状況を示す側面図である。
【図４】図１に示すドラフトチャンバの全開状態での使用状況を示す側面図である。
【図５】従来のドラフトチャンバの一例を示す側面図である。
【符号の説明】
１……ドラフトチャンバ
３……フード
５……フィルタ
６……二重ガラス扉
８……排気装置
３１……吸気口
３２……作業窓
Ｗ……作業室
【図１】
0004389318.tif 000002
【図２】
0004389318.tif 000003
【図３】
0004389318.tif 000004
【図４】
0004389318.tif 000005
【図５】
0004389318.tif 000006